(57)【特許請求の範囲】
【請求項１】
リソースメトリック値の送信方法であって、
基地局は、設置した選択規則によって周波数パーティションセットに相応の部分の周波数パーティションのリソースメトリック値を選び取ること、
確定した時間に、選び取る相応の部分のリソースメトリック値を下りチャネルによって端末に送信することを含み、
前記選択規則は、
部分の周波数パーティションのリソースメトリック値を選択し、前記部分の周波数パーティションのリソースメトリック値は、周波数再利用係数がqである周波数パーティションセットにおけるAn-1個の周波数パーティションのリソースメトリック値及び周波数再利用係数が1である周波数パーティションセットにおける周波数パーティションのリソースメトリック値、又は、周波数再利用係数がqである周波数パーティションセットにおけるAn-1個の周波数パーティションのリソースメトリック値、又は、周波数再利用係数がqである周波数パーティションセットにおけるAn個の周波数パーティションのリソースメトリック値であり、そのうち、Anは、周波数再利用係数がqである周波数パーティションセットにおける周波数パーティションの数、又は周波数再利用係数がqである周波数パーティションセットにおける異なる送信電力レベルの数であり、周波数再利用係数qが1に等しくない正数であることであることを特徴とする。
【請求項２】
前記基地局は、選択規則によって周波数パーティションセットにおける前記部分の周波数パーティションのリソースメトリック値を選び取ることは、選び取ったリソースメトリック値をN個のサブセットに分けて、確定した時間帯内に、それぞれ各サブセットの対応のリソースメトリック値を下りチャネルによって端末に送信し、選択した周波数パーティション数≧前記N≧1であることと、
前記基地局は、選択規則によって周波数パーティションセットにおける全部の周波数パーティションのリソースメトリック値を選び取ることは、選び取るリソースメトリック値をM個のサブセットに分け、確定した時間帯内にそれぞれ各サブセットの対応のリソースメトリック値を下りチャネルによって端末に送信し、全部の周波数パーティション数≧前記M>1であることとを特徴とする請求項1に記載の方法。
【請求項３】
前記確定した時間帯は、1個又は複数個のサブフレーム、1個又は複数個のフレーム、1個又は複数個のスーパーフレーム及び1個又は複数個の他の時間単位における1種であることを特徴とする1〜2のいずれか１つに記載の方法。
【請求項４】
リソースメトリック値の受信方法であって、
端末は、基地局が確定した時間帯内に送信した周波数パーティションセットにおける相応の部分の周波数パーティションのリソースメトリック値を受信し復号して、復号した相応の部分のリソースメトリック値によってすべての未知の周波数パーティションのリソースメトリック値を回復し、
前記復号した相応の部分のリソースメトリック値によってすべての未知の周波数パーティションのリソースメトリック値を回復することは、
復号したリソースメトリック値が異なる周波数再利用係数周波数パーティションセットにおける部分のリソースメトリック値である際、予知の各周波数パーティションセットにおける周波数パーティションのリソースメトリック値の和及び復号したリソースメトリック値によって、減算アルゴリズムを利用してすべての未知の周波数パーティションのリソースメトリック値を回復することを含むことを特徴とする。
【請求項５】
基地局であって、
設置した選択規則によって周波数パーティションセットにおける相応の部分の周波数パーティションのリソースメトリック値を選び取るためのリソースメトリック値選び取りユニットと、
確定した時間帯内に、選び取る相応の部分のリソースメトリック値を下りチャネルによって端末に送信するためのリソースメトリック値送信ユニットとを含み、
前記リソースメトリック値送信ユニットが、確定した時間帯内に、選び取った相応の部分のリソースメトリック値を下りチャネルによって端末に送信することは、前記リソースメトリック値選び取りユニットが部分の周波数パーティションのリソースメトリック値を選び取る際、選び取るリソースメトリック値をN個のサブセットに分け、確定した時間帯内にそれぞれ各サブセットの対応のリソースメトリック値を、下りチャネルによって端末に送信し、前記リソースメトリック値選び取りユニットが全部の周波数パーティションのリソースメトリック値を選び取る際、選び取ったリソースメトリック値をM個のサブセットに分け、確定した時間帯内にそれぞれ各サブセットの対応のリソースメトリック値を、下りチャネルによって端末に送信し、そのうち、選択した周波数パーティション数≧前記N≧1であり、全部の周波数パーティション数>前記M>1であることを特徴とする。
【請求項６】
端末であって、
基地局が確定した時間帯内に送信した周波数パーティションセットにおける相応の部分の周波数パーティションのリソースメトリック値を受信し復号するためのリソースメトリック値受信ユニットと、
リソースメトリック値受信ユニットが復号した相応の部分のリソースメトリック値によってすべての未知の周波数パーティションのリソースメトリック値を回復するためのリソースメトリック値回復ユニットとを含み、
前記リソースメトリック値回復ユニットが、リソースメトリック値受信ユニットが復号した相応の部分のリソースメトリック値によってすべての未知の周波数パーティションのリソースメトリック値を回復することは、前記リソースメトリック値回復ユニットが、前記リソースメトリック値受信ユニットに復号されたリソースメトリック値が異なる周波数再利用係数の周波数パーティションセットにおける部分のリソースメトリック値である際、予知の各周波数パーティションセットにおける周波数パーティションのリソースメトリック値の和及び復号したリソースメトリック値によって、減算アルゴリズムを利用してすべての未知の周波数パーティションのリソースメトリック値を回復することを特徴とする。
【発明の詳細な説明】
【技術分野】
【０００１】
本発明は、無線通信技術の分野に関し、特にリソースメトリック値の受信方法、送信方法及び基地局と端末に関する。
【背景技術】
【０００２】
無線通信システムにおいて、基地局とは、端末にサービスを提供するデバイスであり、基地局は、上り/下りリンクによって端末と通信を行なって、下りまたはフォワードとは、基地局から端末までの方向であり、上りまたはリバースとは、端末から基地局までの方向である。複数の端末が同時に上りリンクによって基地局へデータを送信してもよく、下りリンクによって同時に基地局からデータを受信してもよい。
【０００３】
基地局のディスパッチ制御を採用するデータ伝送システムにおいて、システムのすべてのリソースのディスパッチ割り当てが常に基地局によって行なわれ、例えば、基地局が下り伝送を行なう際のリソース割り当て状況、及び端末が上り伝送を行う際の使用可能なリソース状況等は、いずれも基地局によりスケジューリング割り当てを行なう。
【０００４】
直交周波数分割多重（Orthogonal Frequency Division Multiplexing，OFDM）システムにおいて、同一のセル内に、基地局が異なる端末と下りデータの伝送を行なう際、これらの下りリンクが互いに直交しているので、このため、セル内の干渉を避けることができる。ただし、異なるセル間の下りリンクが直交してはない可能性があるので、各の端末が他の隣接セルの基地局からの下り干渉、即ち、セル間の干渉を受ける可能性がある。
【０００５】
セル間の干渉がシステム性能に対する影響を減少することは、セルラーシステムの設計の1つの重要目標であって、セル間の干渉が厳しいであると、システム容量、特にセルのエッジユーザの伝送能力を下げて、さらに、システムのカバレッジ能力及び端末の性能を影響する。セル間の干渉を克服するために、適応型周波数再利用（Adaptive Frequency Reuse，AFR）方案を採用することができ、異なるサブバンドリソースを端末に割り当て、これにより、セル間の干渉強さを下げる。
【０００６】
図1は、従来技術に隣接セクターの周波数リソース割り当て方式及び各の周波数パーティション（Frequency Partition，FP）の送信電力の制限状況の模式図であり、図1に示すように、AFR方案の主な原理は、
先に、使用可能な周波数リソースをN個のFPに区分し、 Nが零よりも大きい整数であり、かりにN=7とすると、即ち、使用可能な周波数リソースを[FP1,FP2,FP3,FP4,FP5,FP6,FP7]に区分する。そのうち、FP1,FP2,FP3の周波数再利用係数が3（即ちReuse3，Reuse1/3とも称する）であり、FP1,FP2,FP3における周波数リソースを3つの隣接セクターにおける1つのセクターに割り当てるが、他の2つのセクターが該周波数リソースを使用できなく、又は、該周波数リソースのサブキャリア送信電力を制限する方法を採用して該周波数リソースを使用する必要があり、FP4,FP5,FP6の周波数再利用係数が3/2（即ちReuse 3/2， Reuse2/3とも称する）であり、FP4,FP5,FP6における周波数リソースを、3つの隣接セクターにおける2つのセクターに割り当て、第3のセクターが該周波数リソースを使用することができなく、又は該周波数リソースのサブキャリア送信電力を制限する方法を採用して該周波数リソースを使用する必要があり、FP7周波数再利用係数が1（即ちReuse 1）であり、3つの隣接セクターは、すべて該周波数リソースを使用することができる。
【０００７】
そして、基地局が各のFPに1つのリソースメトリック値（Resource Metric，RM）を割り当て、即ち、[RM1,RM2,RM3,RM4,RM5,RM6,RM7]であり、且つ該リソースメトリック値を端末に通知し、各の端末が各のFPのスペクトル効率（Spectral Efficiency，SE）を測定し、且つ各のFPのnSEi（nSEi＝SEi/RMi、そのうち、iがFPの索引番号）の大きさを計算することによって、nSEiの最大のM（M≧1）個のFPのチャネル品質情報（Channel Quality Information，CQI）を基地局にフィードバックし、基地局は、端末が報告したFPのCQI状況によってリソース割り当てを行なう。
【０００８】
最後、基地局は、適応に各のFPの大きさ、各のFPにおけるサブキャリアの送信電力及び各のFPのRM値を調整し、且つ本セクター内のすべての端末に通知する。ただし、基地局が毎回にすべてのFPのRMを端末に送信する方式は、明らかにシステムのオーバーヘッドを増加した。
【発明の概要】
【発明が解決しようとする課題】
【０００９】
本発明は、従来技術に存在した基地局が毎回にすべてのFPのRMを端末に送信することによるシステムリソースを無駄にする問題を解決するためのリソースメトリック値の受信方法、送信方法及び基地局と端末を提供する。
【課題を解決するための手段】
【００１０】
本発明は、リソースメトリック値の送信方法を提供し、
基地局は、設置した選択規則によって周波数パーティションセットに相応の周波数パーティションのリソースメトリック値を選び取って、確定した時間に、選び取るリソースメトリック値を下りチャネルによって端末に送信することを含む。
【００１１】
そのうち、前記選択規則は、部分の周波数パーティションのリソースメトリック値を選択し、前記部分の周波数パーティションのリソースメトリック値は、周波数再利用係数がqである周波数パーティションセットにおけるAn-1個の周波数パーティションのリソースメトリック値及び周波数再利用係数が1である周波数パーティションセットにおける周波数パーティションのリソースメトリック値、又は、周波数再利用係数がqである周波数パーティションセットにおけるAn-1個の周波数パーティションのリソースメトリック値、又は、周波数再利用係数がqである周波数パーティションセットにおけるAn個の周波数パーティションのリソースメトリック値であり、
又は、全部の周波数パーティションのリソースメトリック値を選択し、
そのうち、Anは、周波数再利用係数がqである周波数パーティションセットにおける周波数パーティションの数、又は周波数再利用係数がqである周波数パーティションセットにおける異なる送信電力レベルの数であり、周波数再利用係数qが1に等しくない正数であることである。
【００１２】
本発明が提供した送信方法は、さらに、以下の特徴を有し、
前記基地局は、選択規則によって周波数パーティションセットにおける前記部分周波数パーティションのリソースメトリック値を選び取る際、選び取ったリソースメトリック値をN個のサブセットに分けて、確定した時間内に、それぞれ各サブセットの対応のリソースメトリック値を下りチャネルによって端末に送信し、選択した周波数パーティション数≧前記N≧1であり、
前記基地局は、選択規則によって周波数パーティションセットにおける全部の周波数パーティションのリソースメトリック値を選び取る際、選び取るリソースメトリック値をM個のサブセットに分け、確定した時間内にそれぞれ各サブセットの対応のリソースメトリック値を下りチャネルによって端末に送信し、全部の周波数パーティション数≧前記M>1である。
【００１３】
具体的に、上記確定した時間は、1個又は複数個のサブフレーム、1個又は複数個のフレーム、1個又は複数個のスーパーフレーム及び1個又は複数個の他の時間単位における1種である。
【００１４】
本発明は、さらに、リソースメトリック値の受信方法を提供し、
端末は、基地局が確定した時間内に送信したリソースメトリック値を受信し復号して、復号したリソースメトリック値によってすべての未知の周波数パーティションのリソースメトリック値を回復することを含む。
【００１５】
そのうち、前記復号したリソースメトリック値によってすべての未知の周波数パーティションのリソースメトリック値を回復することは、具体的に、復号したリソースメトリック値が異なる周波数再利用係数周波数パーティションセットにおける部分のリソースメトリック値である際、予知の各周波数パーティションセットにおける周波数パーティションのリソースメトリック値の和及び復号したリソースメトリック値によって、減算アルゴリズムを利用してすべての未知の周波数パーティションのリソースメトリック値を回復し、復号したリソースメトリック値が異なる周波数再利用係数の周波数パーティションセットにおける全部のリソースメトリック値である際、復号したリソースメトリック値がすべての未知の周波数パーティションのリソースメトリック値であることである。
【００１６】
本発明は、さらに、基地局を提供し、
設置した選択規則によって周波数パーティションセットにおける相応の周波数パーティションのリソースメトリック値を選び取るためのリソースメトリック値選び取りユニットと、
確定した時間に、選び取るリソースメトリック値を下りチャネルによって端末に送信するためのリソースメトリック値送信ユニットとを含む。
【００１７】
そのうち、前記リソースメトリック値選び取りユニットは、選択規則によって周波数パーティションセットにおける部分又は全部の周波数パーティションのリソースメトリック値を選び取り、
前記リソースメトリック値送信ユニットは、前記リソースメトリック値選び取りユニットが部分の周波数パーティションのリソースメトリック値を選び取る際、選び取るリソースメトリック値をN個のサブセットに分け、確定した時間内にそれぞれ各サブセットの対応のリソースメトリック値を、下りチャネルによって端末に送信し、前記リソースメトリック値選び取りユニットが全部の周波数パーティションのリソースメトリック値を選び取る際、選び取るリソースメトリック値をM個のサブセットに分け、確定した時間内にそれぞれ各サブセットの対応のリソースメトリック値を、下りチャネルによって端末に送信し、
そのうち、選択した周波数パーティション数≧前記N≧1であり、全部の周波数パーティション数≧前記M>1である。
【００１８】
本発明は、さらに、端末を提供し、
基地局が確定した時間内に送信したリソースメトリック値を受信し復号するためのリソースメトリック値受信ユニットと、
リソースメトリック値受信ユニットが復号したリソースメトリック値によってすべての未知の周波数パーティションのリソースメトリック値を回復するためのリソースメトリック値回復ユニットを含む。
【００１９】
そのうち、前記リソースメトリック値回復ユニットは、前記リソースメトリック値受信ユニットが復号したリソースメトリック値が異なる周波数再利用係数の周波数パーティションセットにおける部分のリソースメトリック値である際、予知の各周波数パーティションセットにおける周波数パーティションのリソースメトリック値の和及び復号したリソースメトリック値によって、減算アルゴリズムを利用してすべての未知の周波数パーティションのリソースメトリック値を回復し、前記リソースメトリック値受信ユニットが復号したリソースメトリック値は異なる周波数再利用係数の周波数パーティションセットにおける全部のリソースメトリック値である際、復号したリソースメトリック値がすべての未知の周波数パーティションのリソースメトリック値である。
【発明の効果】
【００２０】
従来技術と比較すると、本発明は、以下の利点を有し、
本発明が提供したリソースメトリック値の受信方法、送信方法及び基地局と端末は、基地局が毎回に部分の周波数パーティションのリソースメトリック値を端末に送信し、端末が復号アルゴリズムによって復号し且つすべての周波数パーティションのリソースメトリック値を回復し、従来技術に毎回に周波数パーティションの全部のリソースメトリック値を端末に送信することに対して、本発明が大いにシステムリソースの利用率を向上させ、システムのオーバーヘッドを減少した。
【図面の簡単な説明】
【００２１】
【図１】従来技術に隣接セクターの周波数リソース割り当て方式および各の周波数パーティションの送信電力制限状況の模式図である。
【図２】本発明が提供したリソースメトリック値の送信方法のプロセス図である。
【図３】本発明の実施例1、2、6、7、8、13、14及び15における隣接セクターの周波数リソース割り当て方式および各のサブバンドの送信電力の制限状況の模式図である。
【図４】本発明の実施例3、4、5、9、10、11及び12における隣接セクターの周波数リソース割り当て方式および各のサブバンドの送信電力制限状況の模式図である。
【図５】本発明が提供した基地局の構造図である。
【図６】本発明が提供した端末の構造図である。
【発明を実施するための形態】
【００２２】
以下、実施例および図面を結合して、本発明の技術方案に対して明確、完備的に説明し、明らかに、記載した実施例がただ本発明の一部の実施例であり、全部の実施例ではない。本発明における実施例に基づき、従業員が創造性の労働をしないもとに取得したすべてのほかの実施例は、本発明の保護範囲に属する。
【００２３】
図2は、本発明が提供したリソースメトリック値の送信方法のプロセス図であり、図2に示すように、該方法は、以下のステップを含み、
ステップS201：基地局が設置した選択規則によって周波数パーティションセットにおける相応の周波数パーティションのリソースメトリック値を選び取る。
【００２４】
そのうち、選択規則が選択部分の周波数パーティションのリソースメトリック値であってもよく、前記部分周波数パーティションのリソースメトリック値は、周波数再利用係数がqである周波数パーティションセットにおけるAn-1個の周波数パーティションのリソースメトリック値及び周波数再利用係数が1である周波数パーティションセットにおける周波数パーティションのリソースメトリック値、又は、周波数再利用係数がqである周波数パーティションセットにおけるAn-1個の周波数パーティションのリソースメトリック値、又は、周波数再利用係数がqである周波数パーティションセットにおけるAn個の周波数パーティションのリソースメトリック値であり、
そのうち、Anは、周波数再利用係数がqである周波数パーティションセットにおける周波数パーティションの数、又は周波数再利用係数がqである周波数パーティションセットにおける異なる送信電力レベルの数であり、周波数再利用係数qが1に等しくない正数である。
【００２５】
選択規則が全部の周波数パーティションを選択するリソースメトリック値であっても良い。
【００２６】
さらに、選択規則によって周波数再利用係数がqである周波数パーティションセットにAn-1個の周波数パーティションのリソースメトリック値を選択する選択方法は、具体的な要求によって確定することができ、具体的に、周波数パーティションセットから送信電力が最低であるAn-1個のものを選択してもよく、周波数パーティションセットから周波数パーティション番号が最低であるAn-1個のものを選択してもよく、さらに、周波数パーティションのほかの特徴情報によって選び取ってもよく、本発明がその具体的な選択形式を限定しない。
【００２７】
ステップS202：基地局は、確定した時間に、選び取るリソースメトリック値を下りチャネルによって端末に送信する。
【００２８】
該ステップは、具体的に、基地局は、選択規則によって周波数パーティションセットにおける部分の周波数パーティションのリソースメトリック値を選び取る際、選び取ったリソースメトリック値をN個のサブセットに分けて、確定した時間内にそれぞれ各サブセットの対応のリソースメトリック値を、下りチャネルによって端末に送信し、選択した周波数パーティション数≧前記N≧1であり、
基地局は、選択規則によって周波数パーティションセットにおける全部の周波数パーティションのリソースメトリック値を選び取る際、選び取ったリソースメトリック値をM個のサブセットに分け、確定した時間内にそれぞれ各サブセットの対応のリソースメトリック値を、下りチャネルによって端末に送信し、全部の周波数パーティション数≧前記M>1である。
【００２９】
そのうち、上記確定した時間は、1個又は複数個のサブフレーム、1個又は複数個のフレーム、1個又は複数個のスーパーフレーム及び1個又は複数個の他の時間単位における1種であってもよく、基地局は、ユニキャスト、マルチキャスト又はブロードキャストにおける1つの方式によって前記リソースメトリック値を端末に送信する。
【００３０】
説明する必要があるものは、上記の選び取ったリソースメトリック値を下りチャネルによって端末に送信することは、具体的にリソースメトリック値を干渉制御信号に添加した後、下りチャネルによって端末に送信する。
【００３１】
本発明は、さらに、リソースメトリック値の受信方法を提供し、
端末は、基地局が確定した時間内に送信したリソースメトリック値を受信し復号して、且つ復号したリソースメトリック値によってすべての未知の周波数パーティションのリソースメトリック値を回復することを含む。
【００３２】
そのうち、復号したリソースメトリック値によってすべての未知の周波数パーティションのリソースメトリック値を回復することは、具体的に、復号したリソースメトリック値が異なる周波数再利用係数の周波数パーティションセットにおける部分のリソースメトリック値である際、予知の各周波数パーティションセットにおける周波数パーティションのリソースメトリック値の和及び復号したリソースメトリック値によって、減算アルゴリズムを利用してすべての未知の周波数パーティションのリソースメトリック値を回復し、復号したリソースメトリック値が異なる周波数再利用係数周波数パーティションセットにおける全部のリソースメトリック値である際、復号したリソースメトリック値がすべての未知の周波数パーティションのリソースメトリック値である。
【００３３】
上記確定した時間は、1個又は複数個のサブフレーム、1個又は複数個のフレーム、1個又は複数個のスーパーフレーム及び1個又は複数個の他の時間単位における1種であってもよく、
前記各周波数パーティションセットにおける周波数パーティションのリソースメトリック値の和が上層ネット要素により基地局で端末に送信され、又は基地局により端末に送信されることを確定し、又はデフォルトの設定として端末に記憶する。
本発明が提供したリソースメトリック値の送受方法は、基地局が毎回に部分の周波数パーティションのリソースメトリック値を端末に送信し、端末が復号アルゴリズムを利用して復号し、且つすべての周波数パーティションのリソースメトリック値を回復することを実現し、従来技術における毎回に周波数パーティションの全部のリソースメトリック値を端末に送信することに対して、本発明が提供した方法は、大いにシステムリソースの利用率を向上させ、システムのオーバーヘッドを減少する。
以下、複数の具体的な実施形態によって詳しくて本発明が提供したリソースメトリック値の送信、受信方法の具体的な実現過程を説明する。
【００３４】
具体的な実施例1、
本実施例は、周波数リソースを4個のFPに区分する。そのうち、[FP1,FP2,FP3]の周波数再利用係数がReuse1/3であり、FP4の周波数再利用係数がReuse1であり、実施例1に隣接セクターの周波数リソース割り当て方式および各のサブバンドの送信電力制限状況が図3に示すように、セクター1における[FP1,FP2,FP3,FP4]の送信電力が[PHigh,PLow1,PLow2,Preusel]であり、セクター2における[FP1,FP2,FP3,FP4]の送信電力が[PLow2，PHigh,PLow1,Preusel]であり、セクター3における[FP1,FP2,FP3,FP4]の送信電力が[PLow1,PLow2，PHigh,Preusel]であり、且つ条件PHigh>Preusel>=PLow1>=PLow2を満たす。上記基本的な配置情報が上層ネット要素により無線インターフェース及び/又はバックボーンで相応の基地局に通知し、そして、基地局によって相応の信号で上記基本的な配置情報を端末に送信する。そのうち、上層ネット要素とは、通信システムにおける基地局の上層のデバイスであり、基地局、中継デバイス、基地局制御器、アクセスサービスネットワーク、接続サービスネットワーク又はコアネットワークのゲートウェイ等であってもよい。
【００３５】
上層ネット要素は、無線インターフェース及び/又はバックボーンによってFPのRM選択規則を相応の基地局に通知し、さらに、基地局によって関連信号でFPのRM選択規則を端末に送信し、又は基地局がFPのRM選択規則を確定し、且つ関連信号によって該FPのRM選択規則を端末に送信し、又は、FPのRM選択規則がデフォルトの設定として基地局及び端末内に記憶する。
【００３６】
本実施例におけるFPのRM選択規則は、周波数再利用係数がReuseq(qが1に等しくない)であるFPセットにおける送信電力が最低であるkn-1個のFPのRMを選び取って、そのうち、knは周波数再利用係数がReuse qであるFPセットにおけるFPの数である。
【００３７】
Reuse1/3のFPセットにおける各のFPのRMの和a（本実施例にa=3である）及びReuse1のFPのRMのb（本実施例にb=1である）が上層ネット要素によって確定され基地局に送信され、さらに、基地局により相応の信号でそれを端末に送信し、又は、デフォルトの設定として基地局及び端末内に記憶する。
【００３８】
以下、セクター1を例として、具体的にリソースメトリック値の送信方法及びその対応の受信方法を説明し、
（1）基地局は、FPのRM選択規則によってReuse1/3のFPセットにおける送信電力が最低である2つのFP即ち[FP2,FP3]のRMを選び取る。本実施例において、現在の時刻の[FP1,FP2,FP3]のリソースメトリック値[RM1,RM2,RM3]が[1.8、0.7、0.5]であるとすると、基地局が[RM2,RM3]即ち[0.7、0.5]を選び取って、且つ端末が受信するように、[0.7、0.5]を送信し、そのうち、基地局は、具体的に選び取るリソースメトリック値を干渉制御信号に添加して、且つ下りチャネルによって該干渉制御信号を端末に送信し、後続の各実施例がいずれも該方式を採用して送信し、再び解釈説明をしない。
【００３９】
（2）端末は、基地局が送信した干渉制御信号を受信し、復号によって[FP2,FP3]のリソースメトリック値[RM2,RM3]即ち[0.7、0.5]を回復し、且つ事前に得たReuse1/3のFPセットにおける各のFPのResource Metricの和a＝3によって、[FP1]のリソースメトリック値RM1、即ちRM1＝a-RM2-RM3＝3-0.7-0.5＝1.8を計算して得る。
【００４０】
（3）端末は、事前に得たReuse1のFPセットにおけるFPのRMがb=1であることによって、[FP4]のRM4＝1であることを取得する。
【００４１】
具体的な実施例2、
本実施例の周波数リソース割り当て方式及び各のサブバンドの送信電力の模式図が続けて図3に示される。具体的に、本実施例におけるFPのRM選択規則は、周波数再利用係数がReuse q(qが1に等しくない)であるFPセットにおける送信電力が最低であるkn-1個のFPのRMを選び取って、そのうち、knは周波数再利用係数がReuse q(qが1に等しくない)であるFPセットにおけるFPの数である。
【００４２】
Reuse1/3のFPセットにおける各のFPのRMの和a（本実施例にa=3である）及びReuse1のFPのリソースメトリック（Resource Metric）b（本実施例にb=1である）が上層ネット要素によって確定され且つ基地局に通知され、さらに、基地局にによって相応の信号でそれを端末に送信し、又はデフォルトの設定として基地局及び端末内に記憶する。
【００４３】
以下、セクター1を例として、具体的にリソースメトリック値の送信方法及びその対応の受信方法を説明し、
（1）基地局は、FPのリソースメトリック値のRM選択規則によってReuse1/3のFPセットにおける送信電力が最低である2つのFP即ち[FP2,FP3]のRMを選び取る。
【００４４】
（2）現在の時刻が第N個のスーパーフレーム、即ちスーパーフレームNで、[FP1,FP2,FP3]のリソースメトリック値[RM1,RM2,RM3]が[1.8、0.7、0.5]であると、基地局が[RM2]即ち[0.7]を選び取って、且つ端末が受信するように、[0.7]を干渉制御信号に添加して送信する。
【００４５】
（3）端末は基地局が送信した干渉制御信号を受信し、復号によって[FP2]のリソースメトリック値[RM2]即ち[0.7]を回復する。
【００４６】
（4）M個のスーパーフレームの後（Mが1よりも大きく又は等しい整数である）、即ち現在の時刻が第（N+M）個のスーパーフレーム、即ちスーパーフレーム（N+M）であり、基地局は、[RM3]即ち[0.5]を選び取って、且つ端末が受信するように、[0.5]を干渉制御信号に添加して送信する。
【００４７】
（5）端末は、基地局が送信した干渉制御信号を受信し、復号によって[FP3]のリソースメトリック値[RM3]即ち[0.5]を回復する。端末は、事前に得たReuse1/3のFPセットにおける各のFPのリソースメトリック値の和a＝3によって、[FP1]のリソースメトリック値RM1、即ちRM1＝a-RM2-RM3＝3-0.7-0.5＝1.8であることを計算して取得する。
【００４８】
（6）端末は、事前に得たReuse1のFPセットにFPのRMがb=1であることによって、[FP4]のRM4=1を取得する。
【００４９】
具体的な実施例3、
本発明の実施例3における隣接セクターの周波数リソース割り当て方式および各のサブバンドの送信電力制限状況が図4に示すように、本実施例は、周波数リソースを4個のFPに区分する。そのうち、[FP1,FP2,FP3]の周波数再利用係数がReuse1/3であり、FP4の周波数再利用係数がReuse1である。セクター1における[FP1,FP2,FP3,FP4]の送信電力が[PHigh,PLow,PLow,Preusel]であり、セクター2における[FP1,FP2,FP3,FP4]の送信電力が[PLow，PHigh,PLow,Preusel]であり、セクター3における[FP1,FP2,FP3,FP4]の送信電力が[PLow,PLow，PHigh,Preusel]であり、且つPHigh>=Preusel>PLowを満たす。上記基本的な配置情報は、上層ネット要素により無線インターフェース及び/又はバックボーンで相応の基地局に通知され、そして、基地局により相応の信号で上記基本的な配置情報を端末に送信する。
【００５０】
上層ネット要素は、無線インターフェース及び/又はバックボーンによってFPのRM選択規則を相応の基地局に通知し、さらに、基地局により関連信号でFPのRM選択規則を端末に送信し、又は基地局によってFPのRM選択規則確定し、且つ関連信号によってFPのRM選択規則を端末に送信し、又はFPのRM選択規則をデフォルトの設定として基地局及び端末内に記憶する。
【００５１】
本実施例にFPのRM選択規則は、周波数再利用係数がReuse q(qが1に等しくない)であるFPセットに最低のLn-1個の送信電力レベルFPのRMを選び取って、そのうち、Lnは、周波数再利用係数Reuse q(qが1に等しくない)がFPにおける送信電力レベルの数であることである。
【００５２】
Reuse1/3のFPセットに各のFPのRMの和a（本実施例にa=3である）及びReuse1のFPのRMのb（本実施例にb=1である）が上層ネット要素によって確定され且つ基地局に通知され、さらに、基地局によって相応の信号でそれを端末に送信し、又はデフォルトの設定として基地局及び端末内に記憶する。
【００５３】
以下、セクター1を例として、具体的にリソースメトリック値の送信方法及びその対応の受信方法を説明し、
（1）基地局は、FPのRM選択規則によってReuse1/3のFPのセットに最低の1個の送信電力レベルFPの対応のRMを選び取る。本実施例に、現在の時刻の[FP1,FP2,FP3]のリソースメトリック値[RM1,RM2,RM3]が[1.8、0.6、0.6]とすると、基地局が[RM2]又は[RM3]、即ち[0.6]を選び取って干渉制御信号に添加して端末に送信する。
【００５４】
（2）端末は、基地局が送信した干渉制御信号を受信し、周波数再利用係数Reuse q(qが1に等しくない)のFPセットに同じ送信電力レベルFPのRMが同じであるので、端末は、復号によって[FP2,FP3]のリソースメトリック値[RM2,RM3]が[0.6、0.6]であることを回復し、且つ事前に得たReuse1/3のFPのセットに各のFPのRMの和a=3によって、[FP1]のリソースメトリック値[RM1]、即ちRM1＝a-RM2-RM3＝3-0.6-0.6＝1.8であることを計算し得る。
【００５５】
（3）端末は、事前に得たReuse1におけるFPのRMがb=1であることによって、[FP4]のRM4＝1であることを取得する。
【００５６】
具体的な実施例4、
本実施例の周波数リソース割り当て方式および各のサブバンドの送信電力模式図が図4に示される。具体的に、本実施例におけるFPのRM選択規則は、周波数再利用係数がReuse q(qが1に等しくない)であるFPセットのFPの番号が最小であるQn-1個のFPのRMを選び取ることである。そのうち、Qnは、周波数再利用係数がReuse q(qが1に等しくない)であるFPセットにおけるFPの数である。
【００５７】
Reuse1/3のFPセットにおける各のFPのRMの和a（本実施例にa=3である）及びReuse1のFPのRMのb（本実施例にb=1である）が上層ネット要素によって確定され、且つ基地局に通知され、さらに、基地局によって相応の信号でそれを端末に送信し、又はデフォルトの設定として基地局及び端末内に記憶する。
【００５８】
以下、セクター1を例として、具体的にリソースメトリック値の送信方法及びその対応の受信方法を説明し、
（1）本実施例に、現在の時刻の[FP1,FP2,FP3]のリソースメトリック値[RM1,RM2,RM3]が[1.8、0.6、0.6]とすると、基地局が[FP1,FP2]のリソースメトリック値[RM1,RM2]即ち[1.8、0.6]を選び取って、且つ干渉制御信号によって端末が受信するように、[1.8、0.6]を送信する。
【００５９】
（2）端末は、基地局が送信した干渉制御信号を受信し、復号によって[FP1,FP2]のリソースメトリック値、即ち[RM1,RM2]が[1.8、0.6]であることを回復し、且つ事前に得たReuse1/3のFPセットに各のFPのRMの和a=3によって、[FP3]のリソースメトリック値[RM3]、即ちRM3=a-RM1-RM2であることを計算し得る。
【００６０】
（3）端末は、事前に得たReuse1のFPのResource Metricがb=1であることによって、[FP4]の[RM4]=1であることを取得する。
【００６１】
具体的な実施例5、
本実施例の周波数リソース割り当て方式および各のサブバンドの送信電力の模式図が続けて図4される。具体的に、本実施例におけるFPのRM選択規則は、周波数再利用係数Reuse q（qが1に等しくない）のFPセットにおけるFPの番号が最小であるQn-1個のFPのRMを選び取ることである。そのうち、Qnは、周波数再利用係数がReuse q（qが1に等しくない）であるFPセットにおけるFPの数である。
【００６２】
Reuse1/3のFPセットに各のFPのRMの和a（本実施例にa=3である）及びReuse1のFPのResource Metricのb（本実施例にb=1である）上層ネット要素によって確定し基地局に通知し、さらに、基地局によって相応の信号でそれを端末に送信し、又は、デフォルトの設定として、基地局及び端末内に記憶することである。
【００６３】
以下、セクター1を例として、具体的にリソースメトリック値の送信方法及びその対応の受信方法を説明し、
（1）現在の時刻が第N個のスーパーフレーム、即ちスーパーフレームNで、[FP1,FP2,FP3]のリソースメトリック値[RM1,RM2,RM3]が[1.8、0.6、0.6]がであると、基地局は[FP1]のリソースメトリック値[RM1]、即ち[1.8]を選び取って、且つ端末が受信するように、干渉制御信号によって[1.8]を送信する。
【００６４】
（2）端末は、基地局が送信した干渉制御信号を受信し、復号によって[FP1]のリソースメトリック値、即ち[RM1]が[1.8]であることを回復する。
【００６５】
（3）M個のスーパーフレームの後（MはM≧1の整数である）、即ち現在の時刻が第（N+M）個のスーパーフレーム、即ちスーパーフレーム（N+M）であり、基地局が[RM2]即ち[0.6]を選び取って、且つ端末が受信するように、[0.6]を干渉制御信号に添加して送信する。
【００６６】
（4）端末は基地局が送信した干渉制御信号を受信し、復号によって[FP2]のリソースメトリック値RM、即ち[RM2]が[0.6]であることを回復する。端末は、事前に得たReuse1/3 FPセットにおける各のFPのRMの和a=3であることによって、[FP3]のリソースメトリック値RM3、即ちRM3＝a-RM1-RM2＝3-1.8-0.6＝0.6であることを計算し得る。
【００６７】
（5）端末は、事前に得たReuse1のFPのResource Metricがb=１であることによって、[FP4]のRM4＝1であることを取得する。
【００６８】
具体的な実施例6、
本実施例の周波数リソース割り当て方式及び各のサブバンドの送信電力の模式図が続けて図3に示される。具体的に、本実施例におけるFPのRM選択規則は、周波数再利用係数がReuse q(q＝1)であるFPのRMを選び取って、及び周波数再利用係数がReuse q(qが1に等しくない)であるFPセットにおける送信電力が最低であるkn-1個のFPのRMを選び取って、そのうち、knは周波数再利用係数がReuse q(qが1に等しくない)であるFPセットにおけるFPの数であることである。
【００６９】
Reuse1/3 FPセットにおける各のFPのRMの和a（本実施例にa=3である）が、上層ネット要素によって確定され且つ基地局に通知され、さらに、基地局によって相応の信号でそれを端末に送信し、又はデフォルトの設定として基地局及び端末内に記憶する。
【００７０】
以下、セクター1を例として、具体的にリソースメトリック値の送信方法及びその対応の受信方法を説明し、
（1）基地局は、FPのRM選択規則によってReuse1/3のFPセットにおける送信電力が最低である2つのFP、即ち[FP2,FP3]のRM及びReuse1におけるFP4のRMを選び取る。本実施例に、現在の時刻の[FP1,FP2,FP3,FP4]のリソースメトリック値[RM1,RM2,RM3，RM4]が[1.8、0.7、0.5、1]とすると、基地局が[RM2,RM3，RM4]、即ち[0.7、0.5、1]を選び取って、且つ干渉制御信号によって[0.7、0.5、1]を端末に送信する。
【００７１】
（2）端末は基地局が送信した干渉制御信号を受信し、復号によって[FP2,FP3,FP4]のリソースメトリック値[RM2,RM3，RM4]が[0.7、0.5、1]であることを回復し、且つ事前に得られたReuse1/3のFPセットにおける各のFPのリソースメトリック値RMの和a=3であることによって、[FP1]のリソースメトリック値RM1がRM1＝a-RM2-RM3＝3-0.7-0.5＝1.8であることを計算し得る。
【００７２】
具体的な実施例7、
本実施例の周波数リソース割り当て方式及び各のサブバンドの送信電力の模式図が続けて図3に示される。具体的に、本実施例におけるFPのRM選択規則は、周波数再利用係数がReuse q(q＝1)であるFPのRMを選び取って、及び周波数再利用係数がReuse q(qが1に等しくない)であるFPセットにおける送信電力が最低であるkn-1個のFPのRMを選び取って、そのうち、knは、周波数再利用係数がReuse q(qが1に等しくない)であるFPセットにおけるFPの数であることである。
【００７３】
Reuse1/3 FPセットにおける各のFPのRMの和a（本実施例におけるa=3である）が上層ネット要素によって確定され、且つ基地局に通知され、さらに、基地局によって相応の信号でそれを端末に送信し、又はデフォルトの設定として、基地局及び端末内に記憶する。
【００７４】
以下、セクター1を例として、具体的にリソースメトリック値の送信方法及びその対応の受信方法を説明し、
（1）基地局は、FPのRM選択規則によって、Reuse1/3のFPセットにおける送信電力が最低である2つのFP、即ち[FP2,FP3]のRM及びReuse1におけるFP4のRMを選び取る。
【００７５】
（2）現在の時刻が第N個のスーパーフレーム、即ちスーパーフレームNで、[FP1,FP2,FP3,FP4]のリソースメトリック値[RM1,RM2,RM3，RM4]が[1.8、0.7、0.5、1]であると、基地局が先に[RM2,RM4]、即ち[0.7、1]を選び取って、且つ干渉制御信号によって[0.7、1]を端末に送信する。
【００７６】
（3）端末は、基地局が送信した干渉制御信号を受信し、復号によって[FP2,FP4]のリソースメトリック値[RM2,RM4]が[0.7、1]であることに回復する。
【００７７】
（4）M個のスーパーフレームの後（MはM≧1の整数）、即ち現在の時刻が第（N+M）個のスーパーフレーム、即ちスーパーフレーム（N+M）であり、基地局が[RM3]即ち[0.5]を選び取って、且つ端末が受信するように、[0.5]を干渉制御信号によって送信する。
【００７８】
（5）端末は基地局が送信した干渉制御信号を受信し、復号によって[FP3]のリソースメトリック値RM、即ち[RM3]が[0.5]であることを回復する。端末は、事前に得られたReuse1/3のFPセットにおける各のFPのResource Metricの和a=3によって、[FP1]のリソースメトリック値RM1がRM1＝a-RM2-RM3＝3-0.7-0.5＝1.8であることを計算し得る。
【００７９】
具体的な実施例8、
本実施例の周波数リソース割り当て方式及び各のサブバンドの送信電力の模式図が続けて図3に示される。具体的に、本実施例にFPのRM選択規則は、周波数再利用係数がReuse q(q＝1)であるFPのRMを選び取って、及び周波数再利用係数がReuse q(qが1に等しくない)であるFPセットにおける送信電力が最低であるkn-1個のFPのRMを選び取って、そのうち、knは、周波数再利用係数がReuse q(qが1に等しくない)であるFPセットにおけるFPの数であることである。
【００８０】
Reuse1/3 FPセットにおける各のFPのRMの和a（本実施例におけるa=3である）が上層ネット要素によって確定され、且つ基地局に通知され、さらに、基地局によって相応の信号でそれを端末に送信し、又はデフォルトの設定として、基地局及び端末内に記憶する。
【００８１】
以下、セクター1を例として、具体的にリソースメトリック値の送信方法及びその対応の受信方法を説明し、
（1）基地局はFPのRM選択規則によって、Reuse1/3のFPセットにおける送信電力が最低である2つのFP、即ち[FP2,FP3]のRM及びReuse1におけるFP4のRMを選び取る。
【００８２】
（2）現在の時刻が第N個のスーパーフレーム、即ちスーパーフレームNで、[FP1,FP2,FP3,FP4]リソースメトリック値[RM1,RM2,RM3，RM4]が[1.8、0.7、0.5、1]であると、基地局が先に[RM2]、即ち[0.7]を選び取って、且つ干渉制御信号によって[0.7]を端末に送信する。
【００８３】
（3）端末は基地局が送信した干渉制御信号を受信し、復号によって[FP2]のリソースメトリック値[RM2]が[0.7]であることを回復する。
【００８４】
（4）M個のスーパーフレームの後（MはM≧1の整数）、即ち現在の時刻が第（N+M）個のスーパーフレーム、即ちスーパーフレーム（N+M）であり、基地局が[RM3]、即ち[0.5]を選び取って、且つ端末が受信するように、[0.5]を干渉制御信号によって送信する。
【００８５】
（5）端末は基地局が送信した干渉制御信号を受信し、復号によって[FP3]のリソースメトリック値[RM3]が[0.5]であることを回復する。端末は、事前に得られたReuse1/3のFPセットにおける各のFPのResource Metricの和a=3によって、[FP1]のリソースメトリック値RM1がRM1＝a-RM2-RM3＝3-0.7-0.5＝1.8であることを回復する。
【００８６】
（6）L個のスーパーフレームの後（LはL≧1の整数で、LがMに等しく又は等しくない）、即ち、現在の時刻が第（N+M+L）個のスーパーフレーム、即ちスーパーフレーム（N+M+L）で、基地局は、[RM4]が[1]であるを選び取って、且つ端末が受信するように、[1]を干渉制御信号によって送信する。
【００８７】
（7）端末は基地局が送信した干渉制御信号を受信し、復号によって[FP4]のリソースメトリック値RM、即ち[RM4]が[1]であることを回復する。
【００８８】
具体的な実施形態9、
本実施例の周波数リソース割り当て方式及び各のサブバンドの送信電力の模式図が続けて図4に示される。具体的に、本実施例におけるFPのRM選択規則は、周波数再利用係数Reuse q（qが1に等しくない）のFPのRMを選び取って及び周波数再利用係数Reuse q（qが1に等しくない）のFPセットにおける最低のLn-1個の送信電力レベルのFPの対応のRMを選び取って、そのうち、Lnが周波数再利用係数Reuse q（qが1に等しくない）のFPセットにおける送信電力レベルの数であることである。
【００８９】
Reuse1/3のFPセットにおける各のFPのRMの和a（本実施例におけるa=3である）が上層ネット要素によって確定され、且つ基地局に通知され、さらに、基地局によって相応の信号でそれを端末に送信し、又はデフォルトの設定として、基地局及び端末内に記憶する。
【００９０】
以下、セクター1を例として、具体的にリソースメトリック値の送信方法及びその対応の受信方法を説明し、
（1）基地局はFPのRM選択規則によって、Reuse1/3のFPセットに最低である1個の送信電力レベルFPの対応のRM及びReuse1におけるFPのRMを選び取る。本実施例に、現在の時刻の[FP1,FP2,FP3,FP4]のリソースメトリック値[RM1,RM2,RM3,RM4]が[1.8、0.6、0.6、1]であると、基地局は[RM2又はRM3,RM4]が[0.6、1]であることを選び取って、干渉制御信号によって端末に送信する。
【００９１】
（2）端末は基地局が送信した干渉制御信号を受信し、周波数再利用係数Reuse q(qが1に等しくない)のFPセットに同じ送信電力レベルFPのRMが同じであるので、端末は、復号によって[FP2,FP3,FP4]のリソースメトリック値RM、即ち[RM2,RM3,RM4]が[0.6、0.6、1]であることを回復し、且つ事前に得られたReuse1/3のFPセットにおける各のFPのRMの和a=3によって、[FP1]のリソースメトリック値RM1＝a-RM2-RM3＝3-0.6-0.6＝1.8であることを計算し得る。
【００９２】
具体的な実施形態10、
本実施例の周波数リソース割り当て方式及び各のサブバンドの送信電力の模式図が続けて図4に示される。具体的に、本実施例におけるFPのRM選択規則は、周波数再利用係数Reuse q（q＝1）のFPのRMを選び取って及び周波数再利用係数Reuse q（qが1に等しくない）のFPセットにおけるFPの番号が最小であるQn-1個のFPのRMを選び取ることである。そのうち、Qnは、周波数再利用係数Reuse q（qが1に等しくない）のFPセットにおけるFPの数である。
【００９３】
Reuse1/3のFPセットに各FPのRMの和a（本実施例にa=3である）が上層ネット要素によって確定され且つ基地局に通知され、さらに、基地局によって相応の信号でそれを端末に送信し、又はデフォルトの設定として、基地局及び端末内に記憶する。
【００９４】
以下、セクター1を例として、具体的にリソースメトリック値の送信方法及びその対応の受信方法を説明し、
（1）本実施例に、現在の時刻の[FP1,FP2,FP3,FP4]のリソースメトリック値[RM1,RM2,RM3,RM4]が[1.8、0.6、0.6、1]であると、基地局は[FP1,FP2,FP4]のリソースメトリック値[RM1,RM2,RM4]が[1.8、0.6、1]であることを選び取って、且つ干渉制御信号によって[1.8、0.6、1]を端末に送信する。
【００９５】
（2）端末は基地局が送信した干渉制御信号を受信し、復号によって[FP1,FP2,FP4]のリソースメトリック値、即ち、[RM1,RM2,RM4]が[1.8、0.6、1]であることを回復し、且つ事前に得られたReuse1/3のFPセットにおける各のFPのRMの和a=3によって、[FP3]のリソースメトリック値RM3がRM3＝a-RM1-RM2＝3-1.8-0.6＝0.6であることを計算し得る。
【００９６】
具体的な実施形態11、
本実施例の周波数リソース割り当て方式及び各のサブバンドの送信電力の模式図が続けて図4に示される。具体的に、本実施例におけるFPのRM選択規則は、周波数再利用係数がReuse q（q＝1）のFPのRMを選び取って、及び周波数再利用係数Reuse q（qが1に等しくない）のFPセットにFPの番号が最小であるQn-1個のFPのRMを選び取ることである。そのうち、Qnは、周波数再利用係数Reuse q（qが1に等しくない）のFPセットにFPの数である。
【００９７】
Reuse1/3のFPセットに各FPのRMの和a（本実施例にa=3である）は上層ネット要素によって確定され且つ基地局に通知され、さらに、基地局によって相応の信号でそれを端末に送信し、又はデフォルトの設定として、基地局及び端末内に記憶する。
【００９８】
以下、セクター1を例として、具体的にリソースメトリック値の送信方法及びその対応の受信方法を説明し、
（1）現在の時刻が第N個のスーパーフレーム、即ちスーパーフレームNで、[FP1,FP2,FP3,FP4]のリソースメトリック値[RM1,RM2,RM3,RM4]が[1.8、0.7、0.5、1]であると、基地局は、先に[RM1,RM4]、即ち[1.8、1]を選び取って、且つ干渉制御信号によって[1.8、1]を端末に送信する。
【００９９】
（2）端末は基地局が送信した干渉制御信号を受信し、復号によって[FP1,FP4]のリソースメトリック値[RM1,RM4]が[1.8、1]であることを回復する。
【０１００】
（3）M個のスーパーフレームの後（MはM≧1の整数）、即ち現在の時刻が第（N+M）個のスーパーフレーム、即ちスーパーフレーム（N+M）であり、基地局は、[RM2]即ち[0.7]を選び取って、且つ端末が受信するように、[0.7]を干渉制御信号によって送信する。
【０１０１】
（4）端末は基地局が送信した干渉制御信号を受信し、復号によって[FP2]のリソースメトリック値、即ち[RM2]が[0.7]であることを回復する。端末は、事前に得られたReuse1/3のFPセットにおける各のFPのRMの和a=3によって、[FP3]のリソースメトリック値RM3がRM3＝a-RM1-RM2＝3-1.8-0.7＝0.5であることを計算し得る。
【０１０２】
具体的な実施形態12、
本実施例の周波数リソース割り当て方式及び各のサブバンドの送信電力の模式図が続けて図4に示される。具体的に、本実施例にFPのRM選択規則は、周波数再利用係数がReuse q（q＝1）のFPのRMを選び取って及び周波数再利用係数Reuse q（qが1に等しくない）のFPセットにFPの番号が最小であるQn-1個のFPのRMを選び取ることである。そのうち、Qnは、周波数再利用係数Reuse q（qが1に等しくない）のFPセットにおけるFPの数である。
【０１０３】
Reuse1/3のFPセットにおける各FPのRMの和a（本実施例にa=3）が上層ネット要素によって確定され且つ基地局に通知され、さらに、基地局によって相応の信号でそれを端末に送信し、又はデフォルトの設定として、基地局及び端末内に記憶する。
【０１０４】
以下、セクター1を例として、具体的にリソースメトリック値の送信方法及びその対応の受信方法を説明し、
（1）現在の時刻が第N個のスーパーフレーム、即ちスーパーフレームNで、[FP1,FP2,FP3,FP4]のリソースメトリック値[RM1,RM2,RM3,RM4]が[1.8、0.7、0.5、1]であると、基地局は、先に[RM1]、即ち[1.8]を選び取って、且つ干渉制御信号によって[1.8]を端末に送信する。
【０１０５】
（2）端末は基地局が送信した干渉制御信号を受信し、復号によって[FP1]のリソースメトリック値[RM1]が[1.8]であることを回復する。
【０１０６】
（3）M個のスーパーフレームの後（MはM≧1の整数）、即ち、現在の時刻が第（N+M）個のスーパーフレーム、即ちスーパーフレーム（N+M）であり、基地局は[RM2]即ち[0.7]を選び取って、且つ端末が受信するように、[0.7]を干渉制御信号によって送信する。
【０１０７】
（4）端末は基地局が送信した干渉制御信号を受信し、復号によって[FP2]のリソースメトリック値、即ち[RM2]が[0.7]であることを回復する。端末は、事前に得たReuse1/3のFPセットにおける各のFPのRMの和a=3によって、[FP3]のリソースメトリック値、即ち[RM3]がRM3＝a-RM1-RM2＝3-1.8-0.7＝0.5であることを計算し得る。
【０１０８】
（6）L個のスーパーフレームの後（LはL≧1の整数で、LがMに等しく又は等しくない）、即ち現在の時刻が第（N+M+L）個のスーパーフレーム、即ちスーパーフレーム（N+M+L）であり、基地局は、[RM4]即ち[1]を選び取って、且つ端末が受信するように、[1]を干渉制御信号によって送信する。
【０１０９】
（7）端末は基地局が送信した干渉制御信号を受信し、復号によって[FP4]のリソースメトリック値、即ち[RM4]が[1]であることを回復する。
【０１１０】
具体的な実施例13、
本実施例の周波数リソース割り当て方式及び各のサブバンドの送信電力の模式図が続けて図3に示される。具体的に、本実施例にFPのRM選択規則は、ある時間内に、周波数再利用係数がReuse q(qが1に等しくない)であるFPセットにおける各のFPのRMを送信することである。
【０１１１】
Reuse1のFPのResource Metricがb（本実施例にb=1である）であることは、上層ネット要素によって確定され且つ基地局に通知され、さらに、基地局によって相応の信号でそれを端末に送信し、又はデフォルトの設定として、基地局及び端末内に記憶する。
【０１１２】
以下、セクター1を例として、具体的にリソースメトリック値の送信方法及びその対応の受信方法を説明し、
（1）現在の時刻が第N個のスーパーフレーム、即ちスーパーフレームNで、[FP1,FP2,FP3]のリソースメトリック値[RM1,RM2,RM3]が[1.8、0.7、0.5]であると、基地局は、先に[RM1]即ち[1.8]を選び取って、且つ端末が受信するように、[1.8]を干渉制御信号によって送信する。
【０１１３】
（2）端末は基地局が送信した干渉制御信号を受信し、復号によって、[FP1]のリソースメトリック値[RM1]即ち[1.8]を回復する。
【０１１４】
（3）M個のスーパーフレームの後（MはM≧1の整数）、即ち現在の時刻は第（N+M）個のスーパーフレーム、即ちスーパーフレーム（N+M）であり、基地局は、[RM2]即ち[0.7]を選び取って、且つ端末が受信するように、[0.7]を干渉制御信号によって送信する。
【０１１５】
（4）端末は基地局が送信した干渉制御信号を受信し、復号によって[FP2]のリソースメトリック値[RM2]即ち[0.7]を回復する。
【０１１６】
（5）L個のスーパーフレームの後（LはL≧1の整数で、LがMに等しく又は等しくない）、即ち現在の時刻が第（N+M+L）個のスーパーフレーム、即ちスーパーフレーム（N+M+L）であり、基地局は[RM3]即ち[0.5]を選び取って、且つ端末が受信するように、[0.5]を干渉制御信号によって送信する。
【０１１７】
（6）端末は基地局が送信した干渉制御信号を受信し、復号によって[FP3]のリソースメトリック値[RM3]即ち[0.5]を回復する。
【０１１８】
（7）端末は事前に得たReuse1のFPセットにおけるFPのリソースメトリック値RMがb=1であることによって、[FP4]のリソースメトリック値[RM4]が[1]であることを取得する。
【０１１９】
具体的な実施例14、
本実施例周波数リソース割り当て方式及び各のサブバンドの送信電力の模式図が続けて図3に示される。具体的に、本実施例におけるFPのRM選択規則は、ある時間内に、周波数再利用係数がReuse q(qが1に等しくない)であるFPセットにおける各のFPのRM及びReuse1のFPのRMを送信することである。
【０１２０】
以下、セクター1を例として、具体的にリソースメトリック値の送信方法及びその対応の受信方法を説明し、
（1）現在の時刻が第N個のスーパーフレーム、即ちスーパーフレームNで、[FP1,FP2,FP3,FP4]のリソースメトリック値[RM1,RM2,RM3，RM4]が[1.8、0.7、0.5、1]であると、基地局は、先に[RM1]即ち[1.8]を選び取って、且つ端末が受信するように、[1.8]を干渉制御信号によって送信する。
【０１２１】
（2）端末は基地局が送信した干渉制御信号を受信し、復号によって、[FP1]のリソースメトリック値[RM1]即ち[1.8]を回復する。
【０１２２】
（3）M個のスーパーフレームの後（MはM≧1の整数）、即ち現在の時刻が第（N+M）個のスーパーフレーム、即ちスーパーフレーム（N+M）であり、基地局は[RM2]即ち[0.7]を選び取って、且つ端末が受信するように、[0.7]を干渉制御信号によって送信する。
【０１２３】
（4）端末は基地局が送信した干渉制御信号を受信し、復号によって[FP2]のリソースメトリック値[RM2]即ち[0.7]を回復する。
【０１２４】
（5）L個のスーパーフレームの後（LはL≧1の整数で、LがMに等しく又は等しくない）、即ち現在の時刻が第（N+M+L）個のスーパーフレーム、即ちスーパーフレーム（N+M+L）であり、基地局は、[RM3]即ち[0.5]を選び取って、且つ端末が受信するように、[0.5]を干渉制御信号によって送信する。
【０１２５】
（6）端末は基地局が送信した干渉制御信号を受信し、復号によって[FP3]のリソースメトリック値[RM3]即ち[0.5]を回復する。
【０１２６】
（7）K個のスーパーフレームの後（KはK≧1の整数で、KがMに等しく又は等しくない）、即ち現在の時刻が第（N+M+L+K）個のスーパーフレーム、即ちスーパーフレーム（N+M+L+K）であり、基地局は、[RM4]即ち[1]を選び取って、且つ端末が受信するように、[1]を干渉制御信号によって送信する。
【０１２７】
（8）端末は基地局が送信した干渉制御信号を受信し、復号によって[FP4]のリソースメトリック値[RM4]即ち[1]を回復出する。
【０１２８】
具体的な実施例15、
本実施例の周波数リソース割り当て方式及び各のサブバンドの送信電力の模式図が続けて図3に示される。具体的に、本実施例におけるFPのRM選択規則は、ある時間内に、周波数再利用係数がReuse q(qが1に等しくない)であるFPセットにおける各のFPのRM及びReuse1のFPのRMを送信することである。
【０１２９】
以下、セクター1を例として、具体的にリソースメトリック値の送信方法及びその対応の受信方法を説明し、
（1）現在の時刻が第N個のスーパーフレーム、即ちスーパーフレームNで、[FP1,FP2,FP3,FP4]のリソースメトリック値[RM1,RM2,RM3，RM4]が[1.8、0.7、0.5、1]であると、基地局は、先に[RM1,RM2]即ち[1.8、0.7]を選び取って、且つ端末が受信するように、[1.8、0.7]を干渉制御信号によって送信する。
【０１３０】
（2）端末は基地局が送信した干渉制御信号を受信し、復号によって[FP1,FP2]のリソースメトリック値[RM1,RM2]即ち[1.8、0.7]を回復する。
【０１３１】
（3）M個のスーパーフレームの後（MはM≧1の整数）、即ち現在の時刻が第（N+M）個のスーパーフレーム、即ちスーパーフレーム（N+M）であり、基地局は、[RM3，RM4]即ち[0.5、1]を選び取って、且つ端末が受信するように、[0.5、1]を干渉制御信号によって送信する。
【０１３２】
（4）端末は基地局が送信した干渉制御信号を受信し、復号によって[FP3,FP4]のリソースメトリック値[RM3,RM4]即ち[0.5、1]を回復する。
【０１３３】
本発明の実施例が提供したリソースメトリック値の送信及び受信方法は、基地局が毎回に部分の周波数パーティションのリソースメトリック値を制御干渉信号として端末に送信し、端末が復号アルゴリズムによって復号し且つすべての周波数パーティションのリソースメトリック値を回復し、従来技術に毎回に周波数パーティションの全部のリソースメトリック値を端末に送信することによって、本発明が提供した方法は、大いにシステムリソースの利用率を向上させ、システムのオーバーヘッドを減少した。
【０１３４】
本発明は、さらに、基地局を提供し、図5は、本発明が提供した基地局の構造図であり、図5に示すように、該基地局は、リソースメトリック値選び取りユニット510及びリソースメトリック値送信ユニット520を含み、そのうち、
リソースメトリック値選び取りユニット510は、設置された選択規則によって周波数パーティションセットに相応の周波数パーティションのリソースメトリック値を選び取ることに用いられ、
リソースメトリック値送信ユニット520は、確定した時間に、選び取るリソースメトリック値を下りチャネルによって端末に送信することに用いられる。
【０１３５】
そのうち、選択規則は、選択部分の周波数パーティションのリソースメトリック値で、前記部分の周波数パーティションのリソースメトリック値は、周波数再利用係数がqである周波数パーティションセットにAn-1個の周波数パーティションのリソースメトリック値、周波数再利用係数が1である周波数パーティションセットにおける周波数パーティションのリソースメトリック値、又は、周波数再利用係数がqである周波数パーティションセットにAn-1個の周波数パーティションのリソースメトリック値、又は、周波数再利用係数がqである周波数パーティションセットにAn個の周波数パーティションのリソースメトリック値であり、そのうち、Anは、周波数再利用係数がqである周波数パーティションセットに周波数パーティションの数又は周波数再利用係数がqである周波数パーティションセットに異なる送信電力レベルの数であり、周波数再利用係数qが1に等しくない正数であり、
又は、全部の周波数パーティションのリソースメトリック値を選択する。
【０１３６】
上記の確定した時間は、1個又は複数個のサブフレーム、1個又は複数個のフレーム、1個又は複数個のスーパーフレーム及び1個又は複数個の他の時間単位における1種である。
【０１３７】
さらに、本発明が提供した基地局は、以下の特徴を有し、
リソースメトリック値選び取りユニット510は、選択規則によって周波数パーティションセットに部分又は全部の周波数パーティションのリソースメトリック値を選び取り、
リソースメトリック値送信ユニット520は、リソースメトリック値選び取りユニット510が部分の周波数パーティションのリソースメトリック値を選び取る際、選び取るリソースメトリック値を、N個のサブセットに区分し、確定した時間内にそれぞれ各サブセットの対応のリソースメトリック値を下りチャネルによって端末に送信し、リソースメトリック値選び取りユニット510は、全部の周波数パーティションのリソースメトリック値を選び取る際、選び取るリソースメトリック値をM個のサブセットに区分し、確定した時間内にそれぞれ各サブセットの対応のリソースメトリック値を、下りチャネルによって端末に送信し、
そのうち、選択した周波数パーティション数≧N≧1で、且つ全部の周波数パーティション数≧M>1である。
【０１３８】
本発明は、さらに端末を提供し、図6は、本発明が提供した端末の構造図であり、図6に示すように、該端末は、リソースメトリック値受信ユニット610及びリソースメトリック値回復ユニット620を含み、そのうち、
リソースメトリック値受信ユニット610は、基地局が確定した時間内に送信したリソースメトリック値を受信し復号することに用いられ、
リソースメトリック値回復ユニット620は、リソースメトリック値受信ユニットが復号したリソースメトリック値によってすべての未知の周波数パーティションのリソースメトリック値を回復することに用いられる。
【０１３９】
そのうち、リソースメトリック値回復ユニット620は、リソースメトリック値受信ユニット610が復号したリソースメトリック値が、異なる周波数再利用係数の周波数パーティションセットに部分のリソースメトリック値である際、予知の各周波数パーティションセットに周波数パーティションのリソースメトリック値の和及び復号したリソースメトリック値によって、減算アルゴリズムを利用してすべての未知の周波数パーティションのリソースメトリック値を回復し、リソースメトリック値受信ユニット610が復号したリソースメトリック値は異なる周波数再利用係数の周波数パーティションセットに全部のリソースメトリック値である際、復号したリソースメトリック値がすべての未知の周波数パーティションのリソースメトリック値である。
【０１４０】
そのうち、確定した時間は、1個又は複数個のサブフレーム、1個又は複数個のフレーム、1個又は複数個のスーパーフレーム及び1個又は複数個の他の時間単位における1種であり、
各周波数パーティションセットに周波数パーティションのリソースメトリック値の和は、上層ネット要素によって基地局によって端末に送信され、又は基地局によって確定され、端末に送信され、又はデフォルトの設定として端末内に記憶される。
【０１４１】
本発明は、基地局が毎回に部分の周波数パーティションのリソースメトリック値を端末に送信し、端末が復号アルゴリズムを利用して復号し且つすべての周波数パーティションのリソースメトリック値を回復することが、従来技術に毎回に周波数パーティションの全部のリソースメトリック値を端末に送信することに対して、大いにシステムリソースの利用率を向上させ、システムのオーバーヘッドを減少した。
【０１４２】
明らかに、従業員は、本発明の精神及び範囲を離れないように、本発明に各種の変動および変形を行なうことができる。このように、本発明のこれらの修正及び変形が本発明の請求項及びその同等の技術の範囲に属すると、本発明もこれらの変動及び変形を含むことを意図する。
【図１】
0005302459.tif 000002
【図２】
0005302459.tif 000003
【図３】
0005302459.tif 000004
【図４】
0005302459.tif 000005
【図５】
0005302459.tif 000006
【図６】
0005302459.tif 000007